(57)【特許請求の範囲】
【請求項１】
パチンコ遊技機の遊技盤に貫通された部品取付孔に突起部を嵌入することにより前記遊技盤に取り付けられた複数の部品を、前記遊技盤から取り外すためのパチンコ遊技機の部品取外し装置であって、
前記遊技盤に設けられた複数の前記部品取付孔の各位置に対応して複数の取外し用治具が突設された治具板と、
前記治具板の下方の所定の部品取外し位置に前記遊技盤を配置する遊技盤配置部と、
前記治具板を昇降させる昇降手段と、
を備え、
前記昇降手段により前記治具板が所定の下降位置まで下降したときに、前記各取外し用治具が、前記部品取外し位置に配置された前記遊技盤の対応する前記部品取付孔に挿入されて、前記部品取付孔に嵌入されている前記突起部を前記部品取付孔から押し出すように構成され、
前記遊技盤配置部が、本体枠と前記本体枠に対して前後方向に摺動可能な引出し部とを備え、
前記引出し部内に前記遊技盤を収納して、前記引出し部を前記本体枠に対して最後退位置まで摺動させたとき、前記遊技盤が前記部品取外し位置に配置されるように構成され、
前記部品取外し位置に配置された前記遊技盤の上に突出するように、押さえ板が設けられていることを特徴とする部品取外し装置。
【請求項２】
前記治具板が、交換可能に構成されるとともに、前記部品を取り外す対象である前記遊技盤と同機種の遊技盤の各部品取付孔に前記取外し用治具を突設したもので構成されたことを特徴とする請求項１記載の部品取外し装置。
【請求項３】
前記昇降手段が、前記治具板を前記下降位置まで下降させたときに、前記部品取外し位置に配置された前記遊技盤の一側部と前記遊技盤の中央部を挟んで前記一側部とは反対側の他側部とに対向する前記治具板の２箇所を、押圧するように構成されたことを特徴とする請求項１又は２記載の部品取外し装置。
【請求項４】
取り外された前記部品を移送するシュータが複数設けられ、
前記各シュータの入口部は、前記部品取外し位置に配置された状態の前記遊技盤の当該シュータで移送すべき前記部品の下方に、配置されていることを特徴とする請求項１、２又は３記載の部品取外し装置。
【発明の詳細な説明】
【技術分野】
【０００１】
本発明は、パチンコ遊技機の遊技盤に取り付けられた部品を取り外す部品取外し装置に関する。
【背景技術】
【０００２】
下記特許文献１に示すように、遊技盤面のレール外側に、証紙貼付部材等の部品を、その部品の裏面に突設された嵌合突起を遊技盤に穿設された部品取付孔に嵌合することにより、着脱可能に取り付けて、使用後に取り外してリサイクル可能としたパチンコ遊技機がある。また、遊技盤に穿設された部品取付孔に嵌合することにより取り付けられた複数の部品を取り外すための治具台として、下記特許文献２に記載されたものがある。
【先行技術文献】
【特許文献】
【０００３】
【特許文献１】特開２００１−１６１９９１号公報（段落００１６、図１７、１８参照）
【特許文献２】特開２００６−１８７４９８号公報（要約、図６、７参照）
【発明の概要】
【発明が解決しようとする課題】
【０００４】
しかし、上記特許文献２記載の治具台は、全ての取付爪が治具台上に重合された遊技盤の重量だけで一度に固定解除方向に変形するとは限らないため、さらに各部を叩いて押圧力を加えなければならない場合が生じ、複数の部品を同時に取り外すことが容易でないという問題があった。
【０００５】
本発明は、上述した問題を解決するものであり、遊技盤の盤面上に取り付けられた複数の部品を、同時に取り外すことが容易な部品取外し装置を提供することを目的とする。
【課題を解決するための手段】
【０００６】
本発明の部品取外し装置は、パチンコ遊技機の遊技盤に貫通された部品取付孔に突起部を嵌入することにより前記遊技盤に取り付けられた複数の部品を、前記遊技盤から取り外すためのパチンコ遊技機の部品取外し装置であって、前記遊技盤に設けられた複数の前記部品取付孔の各位置に対応して複数の取外し用治具が突設された治具板と、前記治具板の下方の所定の部品取外し位置に前記遊技盤を配置する遊技盤配置部と、前記治具板を昇降させる昇降手段と、を備え、前記昇降手段により前記治具板が所定の下降位置まで下降したときに、前記各取外し用治具が、前記部品取外し位置に配置された前記遊技盤の対応する前記部品取付孔に挿入されて、前記部品取付孔に嵌入されている前記突起部を前記部品取付孔から押し出すように構成され、前記遊技盤配置部が、本体枠と前記本体枠に対して前後方向に摺動可能な引出し部とを備え、前記引出し部内に前記遊技盤を収納して、前記引出し部を前記本体枠に対して最後退位置まで摺動させたとき、前記遊技盤が前記部品取外し位置に配置されるように構成され、前記部品取外し位置に配置された前記遊技盤の上に突出するように、押さえ板が設けられていることを特徴とする。
【０００７】
ここで、前記治具板が、交換可能に構成されるとともに、前記部品を取り外す対象である前記遊技盤と同機種の遊技盤の各部品取付孔に前記取外し用治具を突設したもので構成されることが好ましい。
【０００８】
また、前記昇降手段が、前記治具板を前記下降位置まで下降させたときに、前記部品取外し位置に配置された前記遊技盤の一側部と前記遊技盤の中央部を挟んで前記一側部とは反対側の他側部とに対向する前記治具板の２箇所を、押圧するように構成されることが好ましい。
【０００９】
また、取り外された前記部品を移送するシュータが複数設けられ、前記各シュータの入口部は、前記部品取外し位置に配置された状態の前記遊技盤の当該シュータで移送すべき前記部品の下方に、配置されていることが好ましい。
【発明の効果】
【００１０】
本発明の部品取外し装置によれば、昇降手段により治具板が所定の下降位置まで下降したときに、治具板の各取外し用治具が遊技盤の各部品取付孔から部品の突起部を押し出すので、遊技盤から複数の部品を同時に取り外すことが容易である。
【図面の簡単な説明】
【００１１】
【図１】本発明の一実施形態に係る部品取外し装置の正面図であり、治具板が上昇位置にある状態の正面図である。
【図２】治具板が上昇位置にある状態の同部品取外し装置の側面図である。
【図３】同部品取外し装置の平面図である。
【図４】図１のIV-IV線要部断面図である。
【図５】同部品取外し装置の治具板の斜視図である。
【図６】同部品取外し装置の治具板装着部と治具板装着部に装着前の治具板の断面図であり、図１０のXIII-XIII線に相当する線で切断した断面図である。
【図７】同部品取外し装置により部品が取り外される遊技盤の斜視図である。
【図８】部品を取り外した状態の同遊技盤の斜視図である。
【図９】引出し部を引き出して遊技盤をセットした状態の同部品取外し装置の要部平面図である。
【図１０】遊技盤を部品取外し位置に配置した状態の同部品取外し装置の要部断面図であり、図１１のX-X線に相当する線で切断した要部断面図である。
【図１１】治具板が下降位置にある状態の同部品取外し装置の正面図である。
【図１２】治具板が下降位置にある状態の同部品取外し装置の側面図である。
【図１３】図１０のXIII-XIII線要部断面図であり、（ａ）は治具板が下降位置よりも上にある状態、（ｂ）は治具板が下降位置にある状態の要部断面図である。
【発明を実施するための形態】
【００１２】
以下、本発明の一実施形態を図面に基づいて説明する。図１〜３に示すように、部品取外し装置１は、昇降手段に相当する２つのエアシリンダ２と、エアシリンダ２によって昇降される治具板装着部３と、治具板装着部３に装着された治具板４（図５参照）と、パチンコ遊技機の遊技盤２００（図７参照）を治具板４の下方の所定の部品取外し位置に配置する遊技盤配置部５と、遊技盤配置部５の下方に配置されたシュータ６１、６２、６３、６４とを備えている。また、部品取外し装置１は、遊技盤配置部５上に立設されて各エアシリンダ２及び治具板装着部３を支持する支持枠体８と、遊技盤配置部５を支持するとともにシュータ６１、６２、６３、６４が連結されるベース枠体９とを備えている。遊技盤配置部５の下方には、ローラコンベヤ７が、後方に行くに従って上面が低くなるように傾斜して配置されている。
【００１３】
ベース枠体９は、図３、４に示すように、平面視において矩形の四隅をなす各位置に立設された４本の柱部材９１と、前側の柱部材９１、９１同士、及び、後側の柱部材９１、９１同士を、それぞれ、人の腰の高さ付近で互いに連結する棒状（実施形態では円管状）の連結部材９２、９２と、右側の柱部材９１、９１同士、及び、左側の柱部材９１、９１同士を、それぞれ、連結部材９２、９２と同じ高さで互いに連結する棒状の連結部材９４、９４とを備えている。また、ベース枠体９は、図２に示すように、連結部材９４、９４以外にも、右側の柱部材９１、９１同士、及び、左側の柱部材９１、９１同士を、それぞれ、互いに連結する複数の棒状の連結部材９５を備えるとともに、前側の柱部材９１、９１から前方に延設された遊技盤配置部支持台９３を備えている。連結部材９２、９２には遊技盤配置部５の後部が載置されて支持され、遊技盤配置部支持台９３には遊技盤配置部５の前部が載置されて支持されている。遊技盤配置部支持台９３は、遊技盤配置部５の前部が載置される天板部９３ａと、天板部９３ａを支持する４本の脚部９３ｂとから構成されている。
【００１４】
図４に示すように、連結部材９２、９２及び連結部材９４、９４で囲まれて形成される矩形状の開口部１００は、連結部材９２同士を連結する棒状の連結部材９６、連結部材９６と右側の連結部材９４とを連結する棒状の連結部材９７、及び、連結部材９６と左側の連結部材９４とを連結する棒状の連結部材９８、９９により、５つに区切られている。そして、連結部材９２、９２、９６、９７、９８、９９には、シュータ６１、６２、６３、６４の上端部が連結されて、シュータ６１、６２、６３、６４の入口部６１ａ、６２ａ、６３ａ、６４ａは、開口部１００を区切ることにより形成された５つの開口部のうちの４つの開口部１０１、１０２、１０３、１０４に、それぞれ配置されている。入口部６１ａ、６２ａ、６３ａ、６４ａは、それぞれ、後述する部品取外し位置に配置された状態の遊技盤２００の部品２０１ａ、２０１ｂ、２０１ｃ、２０１ｄ（図７参照。一括して言及するときは、「部品２０１」という。）の下方に位置するように、配置されている。シュータ６１、６２、６３、６４は、いずれも上方が開放された滑り台状をなし、シュータ６１、６２の出口部６１ｂ、６２ｂは下方に開放されて、それぞれ下方に配置された箱１０、１０（図１参照）に部品２０１Ａ、２０１Ｂを落下させ、シュータ６３、６４の出口部６３ｂ、６４ｂは上方に開放された箱状をなして、それぞれ部品２０１Ｃ、２０１Ｄを貯留することとなる。
【００１５】
図３に示すように、遊技盤配置部５は、平面視において略矩形状の本体枠５１と、本体枠５１の内側に嵌め込まれた平面視において略矩形状の引出し部５７とから構成されている。本体枠５１の前後方向の長さは、引出し部５７の前後方向の長さの約２倍とされている。本体枠５１の前端部５１ａの両側には、それぞれ、エアシリンダ２、２に圧縮空気を送り込むための空気供給装置（図示せず）に接続されたスイッチ５３が配設されている。なお、スイッチ５３、５３が同時に押されなければ、空気供給装置は作動しないように構成されている。
【００１６】
図２に示すように、本体枠５１の後端部５１ｃの左右上面、及び、本体枠５１の前後方向における中央部の左右上面には、それぞれ、後述するガイド柱部８２の下端部が連結されている。本体枠５１の左右の枠部材５１ｂの上面には、前後方向に並ぶガイド柱部８２、８２間に、それぞれ押さえ板５５が取り付けられている。各押さえ板５５は、図１３（ａ）に示すように、後述する部品取り外し位置に配置された遊技盤２００の上下の端部の上に突出するように配置されている。なお、遊技盤２００における上下及び左右は、遊技盤２００がパチンコ遊技機に取り付けられている状態での上下及び向かって左右をいう。
【００１７】
図３に示すように、引出し部５７は、平面視において矩形状の遊技盤セット枠５２と、遊技盤セット枠５２の前側に連結されて垂直方向に立ち上がる矩形状の把手部５４とを備え、把手部５４の上端中央部には、把手５４ａが取り付けられている。遊技盤セット枠５２は、内周形状が遊技盤２００の外周形状と略一致した矩形状をなし、遊技盤セット枠５２の右後の角部内側には、遊技盤２００のセット方向を決めるための突出部５６が、遊技盤セット枠５２の内方に突出して形成されている。突出部５６は、図９に示すように、遊技盤２００が遊技盤セット枠５２に収納されたとき、遊技盤２００の右上角部に形成された切欠部２０３に嵌合される。引出し部５７は、遊技盤セット枠５２の左右の枠部材５２ａが本体枠５１の左右の枠部材５１ｂに摺接しつつ、本体枠５１の中を前後方向に摺動可能に構成されている。そして、遊技盤セット枠５２は、引出し部５７が本体枠５１の後端部５１ｃ前面に当接するまで摺動されたとき、治具板装着部３と対向するように配置され、遊技盤セット枠５２に収納された遊技盤２００は、図１０に示すように、治具板装着部３に装着された治具板４の下方の部品取外し位置に配置されることとなる。すなわち、引出し部５７が本体枠５１の後端部５１ｃ前面に当接する位置（最後退位置）に配置されたとき、遊技盤２００は部品取外し位置に配置される。
【００１８】
支持枠体８は、図１〜３に示すように、平面視において矩形状の上端枠８１と、上端枠８１の四隅から下方に延設されて遊技盤配置部５に連結されたガイド柱部８２と、上端枠８１の左右の枠部材８１ａを前後方向における中央部後寄りで左右方向に連結する棒状の連結部材８３と、右側のガイド柱部８２、８２同士、及び、左側のガイド柱部８２、８２同士を、それぞれ互いに連結する棒状の連結部材８４とから構成されている。各ガイド柱部８２は、それぞれ対応する四隅に配置された柱部材９１に連結されている。
【００１９】
各エアシリンダ２は、図１に示すように、シリンダ２２とシリンダ２２に対して往復動するピストンロッド２１とを備え、各シリンダ２２のピストンロッド２１出入側とは反対側の端部（上端部）が、所定の間隔を置いて左右に並んで、連結部材８３（図３参照）に取り付けられている。ピストンロッド２１の下端部は、後述するように、治具板装着部３に補強板３４を介して連結されている。各エアシリンダ２には図示しないチューブが接続され、それらのチューブを介して、図示しない空気供給装置から空気がシリンダ２２内に供給され、また、シリンダ２２内部から空気が排出されることにより、各エアシリンダ２は、治具板装着部３に装着された治具板４を、図１及び図２に示す上昇位置と、図１１、図１２及び図１３（ｂ）に示す下降位置との間で昇降させるように構成されている。なお、上昇位置は、図２に示すように、後述する８つのガイドローラ３５のうち、前側のガイド柱部８２、８２の後面、及び、後側のガイド柱部８２、８２の前面に沿って摺動する４つのガイドローラ３５が、連結部材８４、８４に当接する位置である。すなわち、連結部材８４、８４は治具板４の上昇を止めるストッパの役目を果たす。また、下降位置は、図１３（ｂ）に示すように、治具板装着部３の下面が遊技盤配置部５の押さえ板５５の上面に接する位置である。各エアシリンダ２は、治具板４を下降位置まで下降させてから一定時間経過後に、図示しないチューブを介してシリンダ２２内部の空気が排出されて、ピストンロッド２１が上昇し、治具板４を上昇位置に戻すように構成されている。
【００２０】
図５に示すように、治具板４は、略矩形状の板状の板本体４２と、板本体４２の一方の面に突設された複数のピン（取外し用治具に相当。）４１とから構成される。詳しくは、治具板４は、図７に示す遊技盤２００と同機種の遊技盤から盤面上の部品を全て取り外したものを板本体４２とし、遊技盤２００において取り外すべき部品２０１が取り付けられている部品取付孔２０２（図８参照）の各位置に対応する（すなわち、部品取付孔２０２と同位置の）部品取付孔４４（図１３（ａ）参照）に、それぞれピン４１を突設したもので構成されている。各ピン４１は、遊技盤における後面から前面側に突出するように突設される。なお、遊技盤における前面とは遊技領域が設けられる面をいい、後面とは前面と反対側の面をいう。各ピン４１の板本体４２からの突出長さは、部品取付孔２０２から部品２０１の突起部２０４（図８参照）を押出し可能な長さ（実施形態では、部品取付孔２０２の長さより若干長い長さ）とされている。また、治具板４は、後述するように遊技盤２００が切欠部２０３を有していることから、切欠部２０３に相当する切欠部４３を有している。
【００２１】
図３及び図６に示すように、治具板装着部３は、上端枠８１より一回り小さい矩形状の枠体３１と、枠体３１に固着され、枠体３１で囲まれた開口部を閉塞する板部３２とを備え、板部３２の下面は枠体３１の下面よりも上方に配置される。すなわち、枠体３１と板部３２とで、下方に開口する矩形状の凹部３６が形成されている。なお、枠体３１は、互いに連結された上部枠体３１ａと下部枠体３１ｂとから構成されている。板部３２の上面には、左右の端部の前後方向における中央部に、矩形状の補強板３４がそれぞれ固着され、各エアシリンダ２のピストンロッド２１の下端部が補強板３４に連結されている。なお、図６及び図１３では、右側のピストンロッド及び補強板３４は紙面手前にあるので、二点鎖線で示されている。
【００２２】
そして、図６及び図１３（ａ）に示すように、治具板４は、ピン４１が突出する面を下方に向けて、枠体３１の板部３２の下面側に（すなわち、凹部３６の中に）嵌め込まれ、枠体３１の下面側に設けられた回動可能な係止片３３で係止されることにより、治具板装着部３に着脱可能に装着される。装着状態における治具板４の下面は、枠体３１の下面と略面一をなしている。また、治具板４は、切欠部４３が凹部３６の右後の角部に位置するように、凹部３６に収納され、遊技盤２００が部品取外し位置に配置されたとき、切欠部４３が遊技盤２００の切欠部２０３の真上に配置されるとともに、図１３（ａ）に示すように、各ピン４１は遊技盤２００の対応する部品取付孔２０２の真上に配置される。
【００２３】
また、図１、図２及び図１０に示すように、枠体３１には、上面側の四隅にそれぞれ２つずつ、計８つのガイドローラ３５が取り付けられ、各ガイドローラ３５は、外周面に設けられた凸部が、ガイド柱部８２に形成されているガイド溝に嵌合されて、ガイド柱部８２に沿って摺動可能に構成されている。さらに、図１に示すように、枠体３１の四隅の下面には、緩衝部３７が下方に向けて突設されている。
【００２４】
以上のように構成された部品取外し装置１は、図７に示すような遊技盤２００の部品２０１を取り外すものである。遊技盤２００は、センター役物や入賞装置はルータ孔２０８から取り外されているが、レール２０５、遊技釘２０６、風車２０７、及び、レール２０５で囲まれた遊技領域２０９の外側に配設された部品２０１は取り付けられた状態である。なお、部品２０１ａは左上レールガイド、部品２０１ｂは返しゴム、部品２０１ｃは下レールガイド、部品２０１ｄは証紙プレートと称されるものであり、いずれも合成樹脂製で、図８に示すように、裏面側に上記特許文献１の嵌合突起と同様の突起部２０４が突設されており、この突起部２０４が遊技盤２００の部品取付孔２０２に嵌入されることにより、遊技盤２００に取り付けられている。
【００２５】
部品取外し装置１を用いて、遊技盤２００から部品２０１を取り外すときは、まず、図９に示すように、遊技盤２００を、部品２０１が取り付けられている面を下方に向けて、切欠部２０３内に突出部５６が収納されるように、遊技盤セット枠５２内に収納する。すなわち、遊技盤２００は裏返し状態で、遊技盤２００の上部が引出し部５７の右部に、遊技盤２００の下部が引出し部５７の左部に配置される。
【００２６】
次に、引出し部５７を本体枠５１の後端部５１ｃ前面に当接するまで本体枠５１内を摺動させつつ後退させることにより、図１０に示すように、遊技盤２００を部品取外し位置に配置する。このとき、図１３（ａ）に示すように、治具板４の各ピン４１は、遊技盤２００の対応する部品取付孔２０２の真上に配置される。また、遊技盤２００の部品２０１ａ、２０１ｂ、２０１ｃ、２０１ｄは、それぞれ、シュータ６１、６２、６３、６４の入口部６１ａ、６２ａ、６３ａ、６４ａの上方に配置される。
【００２７】
そして、本体枠５１の前端部５１ａの両側に設けられたスイッチ５３、５３を同時に押す。すると、各エアシリンダ２のシリンダ２２内に、図示しないチューブを介して圧縮空気が送り込まれ、ピストンロッド２１が押し下げられて、治具板装着部３が図１１、図１２及び図１３（ｂ）に示す下降位置まで下降する。
【００２８】
そして、図１３（ｂ）に示すように、治具板４の各ピン４１が、対応する部品取付孔２０２に挿入されて、部品取付孔２０２に嵌入されている突起部２０４を部品取付孔２０２から押し出すことにより、全ての部品２０１が同時に取り外される。また、図１３（ｂ）では、治具板４と遊技盤２００との間には係止片３３や押さえ板５５による隙間が表れているが、実際には、治具板４は、エアシリンダ２、２により補強板３４及び板部３２を介して上方から押圧されることにより、若干撓んで、遊技盤２００との間の隙間が無くなって遊技盤２００に押し付けられる。このように治具板４が遊技盤２００に押し付けられることにより、より確実に全ての突起部２０４が部品取付孔２０２から押し出され、全ての部品２０１が同時に取り外される。なお、治具板装着部３が下降位置まで下降したとき、各緩衝部３７は、遊技盤セット枠５２に当接して、治具板装着部３及び遊技盤セット枠５２に加わる衝撃を緩和する。
【００２９】
また、図１０に示すように、エアシリンダ２、２は、治具板４を下降位置まで下降させたときに、補強板３４、３４を介して治具板４を押圧する。補強板３４、３４の配置位置は、部品取外し位置に配置された遊技盤２００の上部中央部と下部中央部とに対向する。すなわち、エアシリンダ２、２は、部品取外し位置に配置された遊技盤２００の一側部（ここでは、上部中央部）と遊技盤２００の中央部を挟んでその一側部とは反対側の他側部（ここでは、下部中央部）とに対向する治具板４の２箇所を押圧することとなる。この２箇所を押圧すれば、遊技盤２００の周辺部（ここでは、上部と下部）に設けられた部品２０１の取付部位に押圧力がかかり易いため、遊技盤２００から全ての部品２０１を同時に取り外すことができる。例えば、治具板４の１箇所のみを押圧する場合、通常、治具板４の中央部を押圧することになるが、治具板４の中央部にはルータ孔４５が設けられているため、部品２０１が取り付けられている遊技盤２００の周辺部に押圧力が伝わりにくく、全ての部品２０１を取り外せない虞がある。部品取外し位置に配置された遊技盤２００の一側部と遊技盤２００の中央部を挟んでその一側部とは反対側の他側部とに対向する治具板４の２箇所を押圧すれば、３箇所以上を押圧する場合に比して少ないエネルギーで、遊技盤２００から全ての部品２０１を同時に取り外すことができる。なお、遊技盤２００では、上部と下部とに部品２０１が設けられているため、遊技盤２００の上部中央部と下部中央部とに対向する２箇所を押圧したが、例えば右部と左部とに部品２０１が設けられている遊技盤では、その遊技盤の右部中央部と左部中央部とに対向する２箇所を押圧する等、押圧箇所は変更可能である。
【００３０】
遊技盤２００から取り外された部品２０１ａ、２０１ｂ、２０１ｃ、２０１ｄは、それぞれ、その下方に位置する入口部６１ａ、６２ａ、６３ａ、６４ａから、シュータ６１、６２、６３、６４内に落下して下方に滑り降り、部品２０１ａ、２０１ｂは、出口部６１ｂ、６２ｂの下方にそれぞれ配置された箱１０、１０（図１１参照）に落下し、部品２０１ｃ、２０１ｄは、それぞれ出口部６３ｂ、６４ｂに貯留される。このように、取り外された部品２０１は、シュータ６１、６２、６３、６４により種類毎に分類される。
【００３１】
治具板４を含む治具板装着部３が下降位置まで下降してから一定時間経過後、各エアシリンダ２から空気が排出されて、治具板４を含む治具板装着部３は図１及び図２に示す上昇位置まで上昇する。治具板４が上昇するとき、遊技盤２００は押さえ板５５に押さえられて上昇が妨げられるので、各ピン４１は部品取付孔２０２から脱する。したがって、遊技盤２００が収納された引出し部５７は、手前に引き出し可能となり、図２に示すように引出し部５７を本体枠５１の前端部５１ａに当接するまで前方に引き出せば、遊技盤２００を遊技盤セット枠５２から取り出すことができる。そして、取り出した遊技盤２００を、ローラコンベヤ７の前端部に乗せれば、遊技盤２００はローラコンベヤ７の上を自重で移動してローラコンベヤ７の後端部に至り、例えば次の作業者が受け取ることとなる。
【００３２】
以上説明したように、部品取外し装置１は、エアシリンダ２、２により治具板４が図１３（ｂ）に示す下降位置まで下降したときに、各ピン４１が、遊技盤２００の対応する部品取付孔２０２に挿入されて、部品取付孔２０２に嵌入されている突起部２０４を部品取付孔２０２から押し出すように構成されているので、複数の部品２０１を同時に遊技盤２００から取り外すことが容易である。
【００３３】
また、治具板４は、係止片３３で係止されることにより、治具板装着部３に着脱可能に装着されている。すなわち、治具板４は交換可能であり、しかも、その治具板４により部品２０１を取り外す対象である遊技盤２００と同機種の遊技盤の各部品取付孔にピン４１を突設したもので構成されている。このため、部品取外し装置１は、治具板４を交換することで複数機種の遊技盤に対応可能であるとともに、機種に応じた治具板４の作成が容易である。
【００３４】
また、エアシリンダ２、２が治具板４を下降位置まで下降させたときに、部品取外し位置に配置された遊技盤２００の一側部と遊技盤２００の中央部を挟んでその一側部とは反対側の他側部とに対向する治具板４の２箇所を押圧するように構成されているので、３箇所以上を押圧する場合に比して少ないエネルギーで、遊技盤２００から全ての部品２０１を同時に取り外すことができる。
【００３５】
また、シュータ６１、６２、６３、６４の入口部６１ａ、６２ａ、６３ａ、６４ａが、それぞれ、部品取外し位置に配置された状態の遊技盤２００の部品２０１ａ、２０１ｂ、２０１ｃ、２０１ｄの下方に、配置されているので、取り外された部品２０１が、シュータ６１、６２、６３、６４により種類毎に分類される。
【００３６】
なお、昇降手段として、エアシリンダ２、２以外の流体圧シリンダを用いてもよいし、流体圧シリンダ以外のものを用いてもよい。
【００３７】
また、本実施形態では、取外し用治具としてピン４１を用いたが、取外し治具は、ピン形状のものに限られるものではなく、突起部２０４の形状に応じた形状のものに変更可能である。
【００３８】
また、本実施形態では、全ての部品２０１の同時取外しの確実性を向上させるために、治具板４が下降位置まで下降したときに上方から押圧され遊技盤２００に押し付けられるように構成したが、必ずしも治具板４が遊技盤２００に押し付けられるように構成する必要は無い。治具板４が下降位置まで下降したときに、各ピン４１が対応する部品取付孔２０２に同時に挿入されて突起部２０４を押し出すことにより、全ての部品２０１は同時に取り外されるからである。
【符号の説明】
【００３９】
１…部品取外し装置
２…エアシリンダ（昇降手段）
３…治具板装着部
４…治具板
５…遊技盤配置部
４１…ピン（取外し用治具）
６１、６２、６３、６４…シュータ
６１ａ、６２ａ、６３ａ、６４ａ…入口部
２００…遊技盤
２０１…部品
２０２…部品取付孔
２０４…突起部
【図１】
0005722010.tif 000002
【図２】
0005722010.tif 000003
【図３】
0005722010.tif 000004
【図４】
0005722010.tif 000005
【図５】
0005722010.tif 000006
【図６】
0005722010.tif 000007
【図７】
0005722010.tif 000008
【図８】
0005722010.tif 000009
【図９】
0005722010.tif 000010
【図１０】
0005722010.tif 000011
【図１１】
0005722010.tif 000012
【図１２】
0005722010.tif 000013
【図１３】
0005722010.tif 000014